(57)【特許請求の範囲】
【請求項１】
横軸および縦軸の一方を医療情報の種別を示す第１の軸とし他方を医療情報が取得された時を示す第２の軸とする表示部における座標上に、医療情報を表示させる表示制御手段と、
画像と前記画像の付帯情報とを前記医療情報として前記座標上に表示させる第１のモードと前記画像を前記座標上に表示させることなく前記付帯情報を前記医療情報として前記座標上に表示させる第２のモードとのいずれかのモードを選択する選択手段と、を備え、
前記表示制御手段は、前記選択手段によって選択されたモードに基づいて前記医療情報を前記座標上に表示させることを特徴とする情報処理装置。
【請求項２】
前記選択手段は、前記第１の軸に示される種別毎にユーザの操作に応じて前記第１のモードまたは前記第２のモードを選択することを特徴とする請求項１記載の情報処理装置。
【請求項３】
横軸および縦軸の一方を医療情報の種別を示す第１の軸とし他方を医療情報が取得された時を示す第２の軸とする表示部における座標上に、医療情報を表示させる表示制御手段と、
画像と前記画像の付帯情報とを前記医療情報として前記座標上に表示させる第１のモードと前記画像を前記座標上に表示させることなく前記付帯情報を前記医療情報として前記座標上に表示させる第２のモードとのいずれかのモードを前記第１の軸に示される種別毎にユーザの操作に応じて選択する選択手段と、を備え、
前記表示制御手段は、前記選択手段によって選択されたモードに基づいて前記医療情報を前記座標上に表示させ、
前記表示制御手段は、前記表示部において前記第２のモードが選択された種別に割り当てられる領域を、前記表示部において前記第１のモードが選択された種別に割り当てられる領域よりも前記第１の軸方向において狭くすることを特徴とする情報処理装置。
【請求項４】
前記表示制御手段は、前記表示部において前記第２のモードが選択された種別に割り当てられる領域を前記付帯情報のみを表示できる大きさにすることを特徴とする請求項３記載の情報処理装置。
【請求項５】
前記表示制御手段は、前記第１のモードが選択された場合、前記画像に前記付帯情報を重ねて前記表示部に表示させることを特徴とする請求項１乃至４のいずれか１項に記載の情報処理装置。
【請求項６】
前記画像は、被検体の画像であり、
前記付帯情報は、前記画像に関するシリーズ数を示す情報、前記画像が取得された施設を示す情報、前記画像に対する読影レポートの有無を示す情報の何れかを含むことを特徴とする請求項１乃至５のいずれか１項に記載の情報処理装置。
【請求項７】
前記画像は、アイコン画像であり、
前記付帯情報は、前記アイコン画像に対応付けられたファイル数を示す情報であることを特徴とする請求項１乃至５のいずれか１項に記載の情報処理装置。
【請求項８】
前記表示部において前記第１の軸は前記縦軸であり前記第２の軸は前記横軸であることを特徴とする請求項１乃至７のいずれか１項に記載の情報処理装置。
【請求項９】
横軸および縦軸の一方を医療情報の種別を示す第１の軸とし他方を医療情報が取得された時を示す第２の軸とする表示部における座標上に、医療情報を表示させる表示制御手段と、
画像を前記医療情報として前記座標上に表示させる第１のモードと前記画像を前記表示部に表示させることなく前記画像の有無を示す情報を前記医療情報として前記座標上に表示させる第２のモードとのいずれかのモードを前記第１の軸に示される種別毎にユーザの操作に応じて選択する選択手段と、を備え、
前記表示制御手段は、前記選択手段によって選択されたモードに基づいて前記医療情報を前記座標上に表示させ、
前記表示制御手段は、前記表示部において前記第２のモードが選択された種別に割り当てられる領域を、前記表示部において前記第１のモードが選択された種別に割り当てられる領域よりも前記第１の軸方向において狭くすることを特徴とする情報処理装置。
【請求項１０】
横軸および縦軸の一方を医療情報の種別を示す第１の軸とし他方を医療情報が取得された時を示す第２の軸とする表示部における座標上に、医療情報を表示させる表示制御工程と、
画像と前記画像の付帯情報とを前記医療情報として前記座標上に表示させる第１のモードと前記画像を前記座標上に表示させることなく前記付帯情報を前記医療情報として前記座標上に表示させる第２のモードとのいずれかのモードを選択する選択工程と、を備え、
前記表示制御工程において、前記選択工程において選択されたモードに基づいて前記医療情報を前記座標上に表示させることを特徴とする制御方法。
【請求項１１】
横軸および縦軸の一方を医療情報の種別を示す第１の軸とし他方を医療情報が取得された時を示す第２の軸とする表示部における座標上に、医療情報を表示させる表示制御工程と、
画像と前記画像の付帯情報とを前記医療情報として前記座標上に表示させる第１のモードと前記画像を前記座標上に表示させることなく前記付帯情報を前記医療情報として前記座標上に表示させる第２のモードとのいずれかのモードを前記第１の軸に示される種別毎にユーザの操作に応じて選択する選択工程と、を備え、
前記表示制御工程において、前記選択工程において選択されたモードに基づいて前記医療情報を前記座標上に表示させ、
前記表示制御工程において、前記表示部において前記第２のモードが選択された種別に割り当てられる領域を、前記表示部において前記第１のモードが選択された種別に割り当てられる領域よりも前記第１の軸方向において狭くすることを特徴とする制御方法。
【請求項１２】
請求項１０または請求項１１記載の制御方法の各工程をコンピュータに実行させることを特徴とするプログラム。
【発明の詳細な説明】
【技術分野】
【０００１】
開示の技術は、情報処理装置、制御方法およびプログラムに関する。
【背景技術】
【０００２】
近年、病院情報システム（ＨＩＳ）や画像保管通信システム（ＰＡＣＳ）、放射線情報システム（ＲＩＳ）等の医療情報システムの普及に伴い、医用画像及び医用文書の電子化が進んでいる。
【０００３】
この電子化された医療情報の利用方法として、Ｘ線画像、ＣＴ画像等の画像の種類を縦軸、Ｘ線画像等の取得タイミングを横軸にし、Ｘ線画像等のサムネイル画像をマトリクス状に表示することが知られている。医師はマトリクス状に表示されたサムネイル画像を参照することで患者の情報の全体像を容易に把握することができる。
【０００４】
特許文献１には、医療情報としてサムネイル画像がモダリティ種別毎に時系列に沿ってマトリクス状に表示されることが開示されている。
【先行技術文献】
【特許文献】
【０００５】
【特許文献１】特開２０１２−３８３４９号公報
【発明の概要】
【発明が解決しようとする課題】
【０００６】
しかしながら、マトリクス状に表示する医療情報が増えるにつれて、医師にとっては所望の医療情報を探すことは困難となってしまう。すなわち、視認性が低下してしまう。
開示の技術は、上記の課題に鑑みてなされたものであり、医療情報の視認性を向上させることを目的とする。
なお、前記目的に限らず、後述する発明を実施するための形態に示す各構成により導かれる作用効果であって、従来の技術によっては得られない作用効果を奏することも本件の他の目的の１つとして位置付けることができる。
【課題を解決するための手段】
【０００７】
上記目的を達成するための一手段として、開示の情報処理装置は、横軸および縦軸の一方を医療情報の種別を示す第１の軸とし他方を医療情報が取得された時を示す第２の軸とする表示部における座標上に、医療情報を表示させる表示制御手段と、画像と前記画像の付帯情報とを前記医療情報として前記座標上に表示させる第１のモードと前記画像を前記座標上に表示させることなく前記付帯情報を前記医療情報として前記座標上に表示させる第２のモードとのいずれかのモードを選択する選択手段と、を備え、前記表示制御手段は、前記選択手段によって選択されたモードに基づいて前記医療情報を前記座標上に表示させる。
【発明の効果】
【０００８】
開示の技術によれば、視認性のよい医療情報の表示を提供することが可能となる。
【図面の簡単な説明】
【０００９】
【図１】第１実施形態における情報処理装置を備える医用情報システムの概略構成の一例を示す図である。
【図２】第１実施形態における情報処理装置の処理の流れの一例を示すフローチャートである。
【図３】第１実施形態における情報処理装置の医療情報の取得処理の流れの一例を示すフローチャートである。
【図４】第１実施形態における情報処理装置の各種医療情報の整列処理と表示処理の流れの一例を示すフローチャートである。
【図５】第１実施形態における情報処理装置の表示処理の一例（マトリクス表示）を示す図である。
【図６】第１実施形態における情報処理装置の表示処理の一例（リスト表示）を示す図である。
【図７】第１実施形態における情報処理装置の表示処理の一例（カラーバー）を示す図である。
【図８】第１実施形態における情報処理装置の表示処理の一例（フィルタリング処理）を示す図である。
【図９】第１実施形態における情報処理の表示処理の一例（関連情報表示）を示す図である。
【図１０】第１実施形態における情報処理の表示処理の一例（外部施設マーク選択時の表示）を示す図である。
【図１１】第１実施形態における情報処理の表示処理の一例（医療情報の表示、非表示の切り替え）を示す図である。
【図１２】第２実施形態における情報処理装置の表示処理の一例（検査部位）を示す図である。
【図１３】第２実施形態における情報処理装置の表示処理の一例（リスト表示時における情報帯）を示す図である。
【図１４】第３実施形態における情報処理装置の処理の流れの一例を示すフローチャートである。
【図１５】第３実施形態における画像取り込み装置の外部起動ボタンの一例を示す図である。
【図１６】情報処理装置の画面図の一例である。
【発明を実施するための形態】
【００１０】
以下、添付の図面を参照して、本実施形態に係る情報処理装置について説明する。なお、以下の実施形態において示す構成は一例に過ぎず、本発明は本明細書及び図面に開示された構成に限定されるものではない。
【００１１】
＜実施例１＞
図１は第１実施形態における情報処理装置を備える医用情報システムの概略構成の一例を示す図である。
【００１２】
医療情報システムはモダリティ１０１、ＨＩＳ１０２、ＲＩＳ１０３、ＰＡＣＳ１０４、情報処理装置１０５、ネットワーク１００、クラウド１１２および情報機器１１３を備える。
【００１３】
図１において、ネットワーク１００には、モダリティ１０１、院内システムとしてＨＩＳ１０２、ＲＩＳ１０３、ＰＡＣＳ１０４、情報処理装置１０５、情報記録部としてクラウド１１２、情報機器１１３が互いに通信可能な状態で接続されている。
【００１４】
モダリティ１０１は、被検体の検査対象部位を撮影することにより、その部位を二次元もしくは三次元的に表した医用画像を生成する。具体的には、ＣＴ、ＭＲＩ、超音波撮像装置等がモダリティ１０１の一例に該当する。この医用画像にＤＩＣＯＭ規格で規定された情報を付加し、医療情報として出力する装置も、モダリティ１０１に含まれる。なお、医用画像に付加される情報の中には画像に付随するテキスト情報、例えば、画像種別、医療従事者のコメント、撮影時の設定情報（色やコントラスト等の画像調整値）、比較画像へのリンク先情報等を含んでも良い。画像種別には、モダリティ１０１に対応した情報が含まれており、具体的はモダリティ名等が当てはまる。また、撮影された医用画像または医療情報は、ネットワーク１００を介して、ＨＩＳ１０２、ＲＩＳ１０３、ＰＡＣＳ１０４に送信される。なお、図１においてモダリティ１０１は１つのみ示しているが、これに限定されるものではなく、複数の異なるモダリティがネットワーク１００に接続されていても良い。例えば、Ｘ線撮影装置、ＣＴ撮影装置、眼科撮影装置等がネットワーク１００に接続されることとしてもよい。
【００１５】
ＨＩＳ１０２は病院情報システムであり、患者の個人情報として、氏名、性別、年齢、身長、体重、国籍等が保持する。また、ＨＩＳ１０２は、患者情報として、患者の病状、既往歴、検査結果、診断結果、読影レポート、医用画像等の院内にある患者に関する情報全般が保持する。ここで、ＨＩＳ１０２は、例えば電子カルテシステム等が該当する。なお、ＨＩＳ１０２が上記の情報を保持（記憶）することとしたが、これに限定されるものではなく、クラウド内のＨＩＳ情報記憶部１１２ａが上記の情報を保持することとしてもよい。
【００１６】
ＲＩＳ１０３は放射線情報システムであり、超音波、内視鏡、眼底などの非放射線機器による検査結果と治療の記録をはじめ、検査予約情報に関する情報全般を保持する。なお、ＲＩＳ１０３が上記の情報を保持（記憶）することとしたが、これに限定されるものではなく、クラウド内のＲＩＳ情報記憶部１１３ａが上記の情報を保持することとしてもよい。
【００１７】
ＰＡＣＳ１０４は、医用画像保管通信システムであり、各モダリティにより撮影された医用画像とそれに付随する情報を医療情報として保持する。付随する情報には、個々の画像を識別する画像ＩＤ、被写体を識別する患者ＩＤ、検査日や検査時刻等の医用画像に関する情報全般が含まれる。また読影レポートの有無を示す情報も付随する情報に含まれる。なお、読影レポートを作成した場合は、読影医氏名、読影画像、所見等の読影に関する情報全般もＰＡＣＳ１０４に記録される。さらに、付随する情報には医用画像のシリーズ数、スタディ数等が含まれることとしてもよい。また、医用画像ではなく同意書等の文書が保存される場合にはファイル数が付随する情報に含まれる。さらに、付随する情報には医用画像または文書が作成された施設、担当医の情報が含まれることとしてもよい。また、付随する情報には情報処理装置１０５を所有する施設と異なる施設（外部施設）で作成された医用画像または文書であることを示す情報が含まれることとしてもよい。例えば、情報処理装置１０５を所有する施設と医用画像または文書が作成された施設との比較に基づいて外部施設で作成された医用画像または文書であるかは判断される。
【００１８】
また、ＰＡＣＳ１０４で扱う画像にはＤＩＣＯＭ規格画像が少なくとも含まれる。なお、ＤＩＣＯＭ規格とは、米国放射線学会と北米電子機器工業会が開発した、ＣＴやＭＲＩ等で撮影した医用画像のフォーマットを含む情報全般を指す。ＤＩＣＯＭ規格では、画像以外の情報も内包可能であるため、動画や音声データも含む。
【００１９】
情報処理装置１０５は、モダリティ１０１、ＨＩＳ１０２，ＲＯＳ１０３，ＰＡＣＳ１０４，情報記憶部１１２および情報機器１１３の少なくとも１つから医療情報を取得し、医師等の医療情報システムの操作者に対して医療情報を表示する。
【００２０】
情報処理装置１０５は、ＣＰＵ（Ｃｅｎｔｒａｌ  Ｐｒｏｃｅｓｓｉｎｇ  Ｕｎｉｔ）１０６、記憶部１０７および表示部１０８を備える。
【００２１】
ＣＰＵ１０６は、各種の処理を実行する。具体的にはＣＰＵ１０６は、記憶部１０７に記憶されたプログラムを実行することで取得手段１０９、表示制御手段１１０および選択手段１１１として機能する。なお、情報処理装置１０５が備えるＣＰＵ１０６および記憶部１０７は１つであってもよいし複数であってもよい。すなわち、少なくとも１以上の処理装置（ＣＰＵ）と少なくとも１つの記憶装置（ＲＯＭまたはＲＡＭ等）とが接続されており、少なくとも１以上の処理装置が少なくとも１以上の記憶装置に記憶されたプログラムを実行した場合に情報処理装置１０５は上記の各手段として機能する。
【００２２】
取得手段１０９は、ネットワーク１００を介してモダリティ１０１、ＨＩＳ１０２，ＲＯＳ１０３，ＰＡＣＳ１０４および情報記憶部１１２の少なくとも１つから医療情報を取得する。また、取得手段１０９は取得した医療情報を記憶部１０７に記録することとしてもよい。例えば、取得手段１０９は不図示のキーボードまたはマウス等の指定手段により指定された患者識別情報に基づいて、当該患者識別情報を有する医用画像等の医療情報をＰＡＣＳ１０４等から取得する。すなわち、指定手段によって指定された患者に関する医療情報を取得手段１０９は取得する。
【００２３】
表示制御手段１１０は、取得手段１０９によって取得された医療情報を表示部１０８に表示させる。表示制御手段１１０は、取得手段１０９によって取得された医療情報を例えば図５に示すように表示部１０８に表示させる。より具体的には、表示制御手段１１０は、表示部１０８における表示領域において縦軸を医療情報の種別を示す軸（第１の軸）とし横軸を医療情報がモダリティ１０１等によって取得された時刻を示す軸（第２の軸）とする座標に複数の医療情報を表示させる。すなわち、表示制御手段１１０は、縦軸を医療情報種別、横軸を時間とするマトリクスに医療情報を配置する。
【００２４】
表示制御手段１１０は例えば、モダリティ１０１から取得した医療情報に付加された情報が示すモダリティの種別および撮影日時等に基づいて上記のマトリクスにおける表示位置を決定する。表示制御手段１１０は、所定の患者に関する他の医療情報に対しても上記と同様の処理を行いマトリクス上の表示位置を決定する。すなわち、表示部１０８の表示領域における医療情報の表示位置を表示制御手段１１０は決定する。図５の例においては、例えば、取得手段１０９がＰＡＣＳ１０４からＸ線画像を取得し、表示制御手段１１０はＸ線画像に付加されている情報から当該画像がＸ線撮影装置で撮影されたことおよび撮影された日時は３月１０日であると判断する。そして、表示制御手段１１０は縦軸の単純Ｘ線に相当する行と横軸の３月１０日が示す列との交点に当該Ｘ線画像を表示させる。より具体的には表示制御手段１１０はＣＴ画像を示すサムネイル画像を表示部１０８に表示させる。また、表示制御手段１１０は同意書等の文書画像に関してはアイコン画像を表示する。
【００２５】
なお、上記の例では縦軸を医療情報の種別とし、横軸を時間（日時）としたがこれに限定されるものではなく、縦軸を時間を示す軸、横軸を医療情報の種別を示す軸としてもよい。すなわち、表示制御手段１１０は、横軸および縦軸の一方を医療情報の種別を示す第１の軸とし他方を医療情報が取得された時を示す第２の軸とする表示部における座標上に、医療情報を表示させる表示制御手段の一例に相当する。
【００２６】
図９に表示制御手段１１０により表示部１０８に表示される医療情報の一例を示す。図９に示す例では、画像（サムネイル画像）１０００および付帯情報１００４が一つの医療情報に含まれる。表示制御手段１１０は例えば医用画像に付加されている情報に基づいて付帯情報１００４を画像１０００に重ねて表示部１０８に表示させる。すなわち、表示制御手段は、第１のモードが選択された場合、画像に前記付帯情報を重ねて表示部に表示させる。付帯情報１００４はシリーズ数またはファイル数を示す表示１００１、外部施設を示す表示１００２および読影レポートの有無を示す表示１００３の少なくとも一つを含む。各表示についての詳細は後述する。すなわち、付帯情報は、画像が含まれるシリーズのシリーズ数を示す情報、画像が取得された施設を示す情報、画像に対する読影レポートの有無を示す情報の何れかを含む。
【００２７】
また、表示制御手段１１０は、後述する選択手段１１１によって選択されたモードに基づいて表示部１０８に表示させる医療情報を変更する。具体的には、図９に示す画像１０００および付帯情報１００４を医療情報として表示部１０８に表示させる表示制御と、画像１０００を表示することなく付帯情報１００４のみを医療情報として表示させる表示制御とを表示制御手段１１０は選択的に実行する。図１１に示す１２００は、表示制御手段１１０が表示部１０８に画像１０００および付帯情報１００４を医療情報として表示させた場合の表示画面の一例を示している。一方、図１１に示す１２０５は、表示制御手段１１０が表示部１０８に画像１０００を表示することなく付帯情報１００４のみを医療情報として表示させた場合の表示画面の一例を示している。すなわち、表示制御手段１１１は、選択手段によって選択されたモードに基づいて医療情報を表示部に表示させる。
【００２８】
なお、付帯情報１００４を表示することで、画像１０００を表示しなくても画像が存在することを操作は理解することが可能となる。すなわち、付帯情報１００４は画像の有無を示す情報の一例に相当する。例えば、付帯情報１００４を図９に示す形態に代えて単に「画像あり」とのメッセージにしてもよい。
【００２９】
選択手段１１１は、画像１０００および付帯情報１００４を医療情報として表示部１０８に表示させるモード及び画像１０００を表示せず付帯情報１００４のみを医療情報として表示部１０８に表示させるモードのいずれかのモードを選択する。
【００３０】
例えば、図１１に示す表示切り替えボタン１２０１がクリックされた場合にマウス等の操作手段から出力される信号を選択手段１１１が受信することで、選択手段１１１は表示制御のモードを選択する。図１１の１２００が示す表示状態において表示切り替えボタン１２０１がクリックされると、選択手段１１１は画像１０００を表示せず付帯情報１００４のみを医療情報として表示部１０８に表示させるモード（第２のモード）を選択する。この選択の結果１２００に示す表示状態から１２０５に示す表示状態に遷移する。一方、図１１の１２０５が示す表示状態において表示切り替えボタン１２０１がクリックされると、選択手段１１１は画像１０００および付帯情報１００４を医療情報として表示部１０８に表示させるモード（第１のモード）を選択する。この選択の結果１２０５に示す表示状態から１２００に示す表示状態に遷移する。すなわち、選択手段１１１は、画像と画像の付帯情報と医療情報として表示部に表示させる第１のモードと画像を表示部に表示させることなく付帯情報を医療情報として表示させる第２のモードとのいずれかのモードを選択する選択手段の一例に相当する。また、選択手段１１１は、画像を医療情報として表示部に表示させる第１のモードと画像を表示部に表示させることなく画像の有無を示す情報を前記医療情報として表示させる第２のモードとのいずれかのモードを選択する選択手段の一例に相当する。
【００３１】
なお、表示切り替えボタン１２０１は医療情報の種別毎に設けられており、選択手段１１１は医療情報の種別毎に表示制御のモードを選択することが可能である。すなわち、選択手段は、第１の軸に示される種別毎に第１のモードまたは第２のモードを選択する。
【００３２】
記憶部１０７は各種の情報を記憶する。例えば、記憶部１０７は、ＲＯＭ、ＲＡＭ、ＨＤＤおよびＳＳＤの少なくとも１つを含む。また、記憶部１０７は取得手段１０９が取得した医療情報を記憶することとしてもよい。さらに、記憶部１０７がＲＯＭおよびＲＡＭを備える場合、ＲＯＭには制御プログラムが記憶され、ＣＰＵ１０６はＲＯＭに記憶された制御プログラムをＲＡＭに展開し実行することにより上述の各手段として機能する。
【００３３】
表示部１０８は、各種の情報を表示するＬＣＤ等のモニタである。例えば、表示部１０８は表示制御手段１１０の制御に基づいて医療情報をマトリクス状に表示する。より具体的には図５に示すように医療情報を表示する。
【００３４】
クラウド１１２は、ネットワーク経由でアクセス可能なコンピュータ資源の集合体である。クラウド１１２は、各種の情報を記憶する。クラウド１１２がＨＩＳ１０２，ＲＩＳ１０３，ＰＡＣＳ１０４が記憶する情報を記憶することとしてもよいし、記憶部１０７が記憶する情報をクラウド１１２が記憶することとしてもよい。また、クラウド１１２は、院外、院内どこに置かれていてもかまわない。
【００３５】
情報機器１１３は、医用情報システムにセンサを通じて情報を読み込む機械装置である。情報機器１１３には、撮影機器１１３ａ、複写機１１３ｂ、記憶媒体全般１１３ｃ及び携帯情報端末１１３ｄのいずれかを含む。
【００３６】
図２は、第１実施形態における情報処理装置１０５の処理の流れを示すフローチャートである。
【００３７】
ステップＳ３０１では、取得手段１０９がネットワーク１００を介して、モダリティ１０１、ＨＩＳ１０２、ＲＩＳ１０３、ＰＡＣＳ１０４等に含まれる患者の医療情報を取得する。具体的には情報処理装置１０５に入力された患者識別情報に基づいて、当該患者識別情報を有する医療情報を取得手段１０９は取得する。図１６の１７０２は患者識別情報を入力するための画面の一例である。操作者は例えば図１６の１７０２の画面を用いて患者識別情報を入力する。なお、ステップＳ３０１の前に情報処理装置１０５にログインするための画面として、例えば図１６の１７０１に示す画面を表示制御手段１１０は表示部１０８に表示させる。操作者が情報処理装置１０５にログインすると表示制御手段１１０は表示部１０８に例えば図１６の１７０２に示す画面を表示させる。
【００３８】
なお、医療情報を取得する際に、取得手段１０９は、取得した情報が院内の情報か外部施設等から取得された情報かを識別し、識別結果を医療情報に付加し情報記録部１０７に記録することとしてもよい。例えば、取得した医療情報が存在した装置に応じて取得手段１０９は取得した情報が院内の情報か外部施設等から取得された情報かを識別することが可能である。情報処理装置１０５は予めモダリティ１０１等の存在する場所が院内か院外かを示す対応情報を保持し、取得手段１０９は取得した医療情報が存在した装置と対応情報との比較結果に基づいて情報が院内の情報か外部施設等から取得された情報かを識別できる。
【００３９】
ステップＳ３０２では、表示制御手段１１０は、取得した医療情報に基づき、医療情報を時系列と各データ種別に従い整列させて表示部１０８に表示させる。例えば、ステップＳ３０２において表示制御手段１１０は医療情報を図５に示すように表示部１０８に表示させる。なお、表示制御手段１１０によるデフォルトの表示を図５に示す表示形態としてもよいし、図６に示す表示形態としてもよい。また、図５の表示形態と図６の表示形態とは表示制御手段１１０により切り替え可能である。
【００４０】
ステップＳ３０３では、表示制御手段１１０は、ステップＳ３０２で整列させた医療情報に対し、各種表示処理をユーザから与えられた任意の表示指示に従い実行する。ステップＳ３０３の詳細な処理については図４を用いて後述する。
【００４１】
以上ステップＳ３０１〜Ｓ３０３のステップにより、任意の表示指示に従いカスタマイズされた医療情報が提示される。
【００４２】
図３は第１実施形態における情報処理装置１０５が医療情報を取得する処理の流れの一例を示すフローチャートである。すなわち、図３に示すフローチャートは図２のステップＳ３０１の詳細な処理を示す。
【００４３】
ステップＳ４０１では、ユーザが不図示の操作手段を用いて医療情報を閲覧したい患者を指定する。患者の指定方法は、グラフィカルユーザインターフェースの検索ボックス等から患者ＩＤ番号や患者名を入力して指定してもよいし、コマンドラインから指定してもよい。
【００４４】
ステップＳ４０２では、取得手段１０９が、ステップＳ４０１で指定された患者の医療情報を、ＨＩＳ１０２、ＲＩＳ１０３、ＰＡＣＳ１０４，クラウド１１２，情報機器１１３等から取得する。例えば、取得手段１０９は、患者氏名、生年月日、性別等の患者情報と診断結果、検査結果、特記事項等の患者属性情報として数値や画像情報および画像に付随する情報等を取得する。なお、取得手段１０９は、取得したこれらの情報にはそれぞれタグ付けを行い、項目毎（種類毎）に分類する。
【００４５】
ステップＳ４０３では、取得手段１０９がステップＳ４０２で取得した患者情報を情報記録部１０９に一時的に記録する。記録時にはステップＳ４０２で付けたタグ情報を元に分類して記録する。
【００４６】
以上Ｓ４０１〜Ｓ４０３のステップにより、情報処理装置１０５は患者の医療情報を取得する。
【００４７】
図４は本発明の第１実施形態における情報処理装置の各種医療情報の整列処理と表示処理の一例の流れを示すフローチャートである。すなわち、図４に示すフローチャートは図２のステップＳ３０２，３０３の詳細な処理を示す。具体的には図４に示す５３０２がステップＳ３０２の詳細に相当し、図４に示す５３０３がステップＳ３０３の詳細に相当する。
【００４８】
ステップＳ５０１では、図２のステップＳ３０１で取得した医療情報から、表示制御手段１１０は、各種検査結果等の検査時刻またはデータ取得時刻を取得する。例えば、表示制御手段１１０は、Ｘ線画像またはＣＴ画像であれば、ＤＩＣＯＭ情報に含まれる撮影時刻（日時）を表示制御手段１１０は取得する。また電子カルテ等の情報であれば当該カルテが作成された時刻を表示制御手段１１０は取得する。
【００４９】
ステップＳ５０２では、表示制御手段１１０は、図２のステップＳ３０１で取得した医療情報から、各種検査結果等の種別（タグ情報）を取得する。種別の具体例には、大分類として画像の規格やフォーマット（ＤＩＣＯＭ、Ｎｏｎ−ＤＩＣＯＭ、文書画像）等を、中分類として取得した画像が含まれる検査機器の種類（ＣＴ、ＭＧ）等、小分類として検査部位（胸部、腹部）等が挙げられる。
【００５０】
ステップＳ５０３では、表示制御手段１１０は、ステップＳ５０１で取得した時刻情報とステップＳ５０２で取得した種別（タグ情報）に基づき、各医療情報を時系列上に規則的に配置する。この時、画像として存在する情報、例えば、検査画像や症例写真、読影レポート等は、元画像を縮小したサムネイル画像として表示する。また、画像以外の情報の場合は、元情報のままか、代替したアイコン画像等で表示する。表示例として、図５のように縦軸を画像種別６０１毎、横軸を時間軸６０２としたマトリクス表示６００や、図６のように項目７０１毎にリスト表示７００する。また図５の縦軸を時間軸、横軸を画像種別としても構わないし、図６の項目順も入れ替え可能である。なお、表示方法は図５，７に限定されるものではない。
【００５１】
ここで、図７を用いてステップＳ５０２で取得した種別情報に基づくカラーバー表示の方法を説明する。
【００５２】
図７は第１実施形態における情報処理装置の表示処理の一例（カラーバー）を示す図である。表示制御手段１１０は、カラーバーをステップＳ５０２で述べた種別の大分類に基づき、対象となる画像の周辺（左右上下等）に表示させる。例えば、図５のマトリクス表示６００では画像種別６０１の領域にカラーバーが表示される。
【００５３】
表示制御手段１１０は、画像種別に応じて異なる色でカラーバーを表示部１０８に表示させる。従って、操作者は、複数の種別の画像が混在していても、瞬時に画像種別を判別することができる。カラーバーの表示の具体例として、図７の８０１はＤＩＣＯＭの画像種別のカラーバー、図７の８０２はＮｏｎ−ＤＩＣＯＭの画像種別のカラーバー、図７の８０３は文書等のカラーバーを指す。ここで、８０１，８０２，８０３はそれぞれ異なる色で表示される。なお、色の選択はユーザが指定した任意の色でも良いし、本情報処理装置側で一意に指定しても良い。また、図７の例では８０１，８０２，８０３はそれぞれ異なる色としたが、異なる種別の医療情報が判別可能であればよく、色は同一であるが図７のようにカラーバーを斜線等で示すことで他のカラーバーと差別化することとしてもよい。
【００５４】
ステップＳ５０４では、ステップＳ５０３で表示された医療情報の状態（図５のマトリクス表示または図６のリスト表示）から表示の変更指示を受けたか否かを表示制御手段１１０が判定する。表示変更指示には、ステップＳ５０５のフィルタリング表示、ステップＳ５０６の関連情報表示、ステップＳ５０７の畳み込み表示が挙げられる。なお、表示変更指示は、グラフィカルユーザインターフェースの各表示指示ボタンの押下やマウスオーバーで指定することとしてもよいし、コマンドラインから指定してもよい。
【００５５】
ステップＳ５０４で表示制御手段１１０がフィルタリング表示の指示を受けたと判定した場合ステップＳ５０５へ進む。ここで、図８を用いてステップＳ５０５のフィルタリング処理の表示処理を説明する。
【００５６】
図８は第１実施形態における情報処理装置の表示処理の一例（フィルタリング処理）を示す図である。マトリクス表示６００時でのフィルタリング処理の場合、該当タブ９０１を押下すると、タブに登録された情報と合致する医療情報のみを抽出する指示が行われる。表示制御手段１１０はこのタブの押下げにより発生したフィルタリング処理の指示を受け付ける。
【００５７】
具体的には、ＤＩＣＯＭ規格のタグ情報が登録されたタブ９０３を押下した場合、表示制御手段１１０は、処理後マトリクス表示９０２のようにＤＩＣＯＭ規格のタグ情報が付与された医療情報のみ抽出する。リスト表示７００時でのフィルタリング処理の場合も同様に、操作者がＤＩＣＯＭ規格のタグ情報が登録されたタブ９０３を押下した場合、表示制御手段１１０は、処理後リスト表示９０５のようにＤＩＣＯＭ規格のタグ情報が付与された医療情報のみ抽出する。
【００５８】
ステップＳ５０５で抽出した医療情報を用いて、表示制御手段１１０はステップＳ５０８で表示処理を実行する。すなわち、表示制御手段１１０は表示部１０８に処理後マトリクス表示９０２または処理後リスト表示９０５に示す画面を表示させる。ただし、マトリクス表示時６００に該当タブを押下した場合は非該当の医療情報を非表示にしてもマトリクス表示内の非表示のセル９０４は提示される。しかし、リスト表示時７００の場合は、該当情報を提示画面の上から詰めて表示するため、非該当情報の帯は表示されない。これはマトリクス表示時においてセル９０４が属する帯を非表示にした場合、他の医療情報の表示位置が大幅に変更されてしまい、視認性が低下してしまうためである。このように、本実施形態では、マトリクス表示内の非表示のセル９０４も表示することで視認性を担保している。
【００５９】
ステップＳ５０４で表示制御手段１１０が関連情報表示の指示を受けたと判定した場合ステップＳ５０６へ進む。ここで図９を用いてステップＳ５０６の付帯情報の表示指示を説明する。
【００６０】
図９は第１実施形態における情報処理装置の表示処理の一例（関連情報表示）を示す図である。図９に示すように、マトリクス表示６００時には、画像（サムネイル画像またはアイコン画像）１０００に加えて、該画像のシリーズ数またはファイル数を示す表示１００１、外部施設を示す表示１００２、読影レポートの有無を示す表示１００３が付帯情報１００４として表示される。表示制御手段１１０は画像１０００に付帯情報１００４を重ねて表示させることとしてもよいし、画像１０００と付帯情報１００４とを並べて表示させることとしてもよい。ここで、サムネイル画像は被検体の画像のサムネイル画像である。また、ファイル数を示す表示１００１とは、アイコン画像が示す医療情報のファイル数を示している。すなわち、ファイル数を示す表示１００１はアイコン画像に対応付けられたファイル数を示す情報に相当する。
【００６１】
１００１は、ＤＩＣＯＭ規格画像の場合、シリーズ数を表示し、ＤＩＣＯＭ規格画像以外で複数の情報が含まれる場合は、ファイル数を表示する。シリーズ数はモダリティ１０１、ＨＩＳ１０２、ＲＩＳ１０３、ＰＡＣＳ１０４，クラウド１１２，情報機器１１３等から取得した後、表示制御手段１１０がカウントした値を提示することとしてもよい。ファイル数も同様に、モダリティ１０１、ＨＩＳ１０２、ＲＩＳ１０３、ＰＡＣＳ１０４，情報機器１１３等から取得した後、表示制御手段１１０がカウントした値を提示することとしてもよい。なお、１シリーズしか存在しない場合、若しくは１ファイルしか存在しない場合は表示しなくてもよいし、「１」と表示してもよい。
【００６２】
１００２の外部施設を示す表示は、ステップＳ３０１で取得した医療情報が院外の情報であると判定された際に表示される。例えば、取得した医療情報に外部施設で得られた情報であることを示す情報が含まれている場合に、表示制御手段１１０は外部施設を示す表示１００２を表示部１０８に表示させる。また医療情報に外部施設で得られた情報であることを示す情報が含まれてない場合でも、上述した取得手段１０９による外部施設で得られた情報であるか否かの判断結果を用いて表示制御手段１１０は外部施設を示す表示１００２表示させることが可能である。
【００６３】
１００３の読影レポートの有無を示す表示は、画像１０００を用いた読影レポートが存在する場合のみ表示する。読影レポートの有無は、例えば、ＰＡＣＳ１０４等から医療取得した後、表示制御手段１１０が医用画像と読影レポートとの関連性を判断して表示することとしてもよい。関連性の判断の具体例として、対象となる医用画像が、いずれかの読影レポート内に含まれていた場合（キー画像等である場合）は、その画像に対して関連する読影レポートと判断し、読影レポートが有と判断する等が挙げられる。他にも、オーダリングシステム等から画像を起点として読影依頼を行った場合、それらの情報は読影レポート等に関連付けされるため、対象となる画像は読影レポート有と判断される。なお、取得した医療情報に読影レポートの有無を示す情報が含まれている場合、上記のような関連性を判断することなく表示制御手段１１０は読影レポートの有無を示す表示１００３を表示部１０８に表示させることができる。
【００６４】
ステップＳ５０６では、マトリクス表示６００時に表示される上述した付帯情報表示部１００４の関連情報を抽出する。ステップＳ５０６では、例えば、外部施設を示す表示１００２上でマウスオーバー、若しくは押下が行われると、表示制御手段１１０は画像に対応付けられている情報から外部施設に関する情報を取得する。表示制御手段１１０が取得する外部施設に関する情報（関連情報）は例えば、検査施設名、部位および担当医の少なくとも１つの情報を含む。
【００６５】
ステップＳ５０８において、表示制御手段１１０は、図１０のように関連情報拡大表示部１１０１をポップアップ等で表示部１０８に表示させる。ポップアップ内に含まれる情報の具体例には、画像１０００の検査施設名、画像１０００の部位情報、画像１０００の患者の担当医等が挙げられる。なお、院外の情報の取得方法は、情報機器１１３から医用情報処理装置１０５へ読み込む場合や、クラウド１１２の情報を読み込む場合を少なくとも含む。情報機器１１３から医用情報解析処理装置１０５へ読み込む場合の具体例として、ＣＤ−ＲＯＭを用いて関連情報を読み込む場合や、複写機１１３ｂで読み込んだ文書情報から帳票認識技術等を用いて関連情報を抽出する等が挙げられる。
【００６６】
また、ステップＳ５０６では、例えば、読影レポートの有無を示す表示１００３を示す表示上でマウスオーバー、若しくは押下が行われると、表示制御手段１１０は、画像１０００に関連した読影レポート（関連情報）を取得する。そして、ステップＳ５０８において、表示制御手段１１０は、取得した読影レポートを表示部１０８に表示させる。
【００６７】
ステップＳ５０４で表示制御手段１１０が畳み込み表示の指示を受けたと判定した場合ステップＳ５０７へ進む。ここで図１１を用いてステップＳ５０７の畳み込み表示の指示を説明する。ここで、畳み込み表示の指示とは、図９に示した画像１０００の表示・非表示を切り替える指示である。
【００６８】
図１１は第１実施形態における情報処理装置の表示処理の一例（医療情報の表示、非表示の切り替え）を示す図である。リスト表示時ではなくマトリクス表示６００時にステップＳ５０７の処理を実行することができる。医療情報の表示状態１２００から医療情報の非表示状態１２０４の切り替え指示は、表示切り替えボタン１２０１の押下処理によって実行される。表示制御手段１１０はこの表示切り替えボタン１２０１の押下げにより発生した切り替え指示（畳み込み表示の指示）を受け付ける。
【００６９】
表示制御手段１１０は、表示状態１２００から非表示状態１２０４への切り替え指示を受け付けた場合には画像１２０２を非表示にして付帯情報１２０３のみを表示させると決定する。また、非表示状態１２０４から表示状態１２００への切り替え指示を受け付けた場合には画像１２０２および付帯情報１２０３を表示させると決定する。
【００７０】
ステップＳ５０７の表示指示を受けて、ステップＳ５０８で表示制御手段１１０は表示処理を実行する。例えば、全ての画像種別の画像１２０２を非表示状態にした場合、ステップＳ５０８において表示制御手段１１０は非表示状態１２０５に示す表示を表示部１０８に表示させる。なお、表示・非表示状態の切り替えは画像種別毎に行うことが可能である。なお、図１２から明らかなように医療情報の種別毎に割り当てられる領域の大きさは表示状態１２００の時に比べて非表示状態１２０４の時の方が縦軸方向において狭くなっている。すなわち、表示制御手段は、表示部において第２のモードが選択された種別に割り当てられる領域を、表示部において前記第１のモードが選択された種別に割り当てられる領域よりも第１の軸方向において狭くする。より具体的には、非表示状態１２０４の時  医療情報の種別毎に割り当てられる領域の大きさは付帯情報１２０３のみを表示できる大きさとなっている。すなわち、表示制御手段は、表示部において第２のモードが選択された種別に割り当てられる領域を付帯情報のみを表示できる大きさにする。
【００７１】
画像１２０２の表示状態１２００ではマトリクス表示上の１セルに対し、画像１２０２と付帯情報表示１２０３が表示され、カラーバー１２０４はマトリクス表示のセルの大きさに合わせた長さで表示される。この時、表示切り替えボタン１２０１の色や形状は表示状態を示すボタンになる。医療情報の非表示状態１２０５では、付帯情報１２０３のみ表示され、この時、表示切り替えボタン１２０１の色や形状は非表示状態を示すボタンになる。具体的には、表示状態を示すボタンは下向きの三角形である一方、非表示状態を示すボタンは横向きの三角形である。また、表示状態を示すボタンの色と非表示状態を示すボタンの色とは異なる色であってもよいし同じ色であってもよい。
【００７２】
なお、マトリクス表示６００の初期状態の表示については、画像１２０２の表示若しくは非表示をユーザが任意に指定してもよいし、情報処理装置１０５側で一意に指定してもよい。図１６の１７０３で示す画面はマトリクス表示の初期状態を設定する画面の一例である。図１６に示す１７０３のカスタマイズ画面は、ユーザ毎によってシステム動作を変更する設定機能を提供する。なお設定は個人、診療科、病院等の単位で変更可能である。具体的な設定項目として、１７０２の患者検索画面から患者を指定した際の画面遷移先をマトリクス表示にするかリスト表示にするかの指定や、画像１０００の表示、非表示の指定等が挙げられる。他にも、１７０３と１７０４で提示する種別名のカスタマイズや、１７０３に提示する種別の並び替え等も可能である。
【００７３】
ステップＳ５０７、ステップＳ５０８の画像１２０２の表示・非表示の切り替えにより、多岐の種別に渡る情報群に対しても、一画面内での情報表示を実現するため、俯瞰性が高まる。また、医療現場では医師、看護師、技師等、様々な役割のユーザの利用が想定されるため、表示、非表示切り替えによりユーザ毎に頻用する情報の選別が可能になり、視認性が向上する。例えば、頻用する種別の画像１０００は表示し、他の種別の画像１０００は非表示にして付帯情報のみを表示させることとすることで、操作者にとっての視認性が向上する。
【００７４】
ステップＳ５０９では、表示情報の確認を行う。ステップＳ５０８の表示処理実行後に表示指示を変更する場合はステップＳ５０４の表示指示の判定まで戻り、表示情報の確認を終了する場合は、マトリクス表示６００、若しくはリスト表示７００の表示処理を変更しない。
【００７５】
本実施形態によれば、画像１０００（または１２０２）の表示・非表示を任意に切り替えることが可能であり、所望の画像を容易に把握することが可能な表示を提供することができる。
【００７６】
また、カラーバーにより一見して画像種別を把握することが可能であり、この観点からも操作者は所望の画像を容易に把握することが可能となる。
【００７７】
さらに、シリーズ数等の付帯情報を表示することで操作者は画像に関連する情報を画像を開くことなく容易に把握することが可能となる。また、
しかしながら、マトリクス状に表示する医療情報が増えるにつれて、医師にとっては所望の医療情報を探すことは困難となってしまう。すなわち、視認性が低下してしまう。
【００７８】
開示の技術は、上記の課題に鑑みてなされたものであり、医療情報の視認性を向上させ
＜実施例２＞
図１２は、第２実施形態における情報処理装置の表示処理の一例を示す図である。医療現場では、医師は患者情報を迅速に把握しなければならないが、膨大な医療情報が表示された環境下では文字を誤認し、医療事故に繋がる可能性が高まる。具体的には、「胸部」と「腹部」という文字を列挙した場合、字面が似ているため、判別しにくい。そこで、ステップＳ３０１で取得した医療画像がＤＩＣＯＭ規格画像の場合は、表示制御手段１１０はリスト表示７００時に撮影部位情報を表示部１０８に表示させる。
【００７９】
ＤＩＣＯＭ規格画像の撮影部位の情報には膨大な種類が存在するが、リスト表示７００時には、この膨大な種類の撮影部位情報を身体の各部位毎に振り分けて表示する。具体例として、１３０１は頭部、１３０２は胸部、１３０３は腹部、１３０４は骨盤部、１３０５は脊髄部、１３０６は上肢部、１３０７は下肢部を撮影部位として表している。図１２に示した図をリスト表示７００に付加した場合を、図１３を用いて説明する。
【００８０】
図１３は、第２実施形態における情報処理装置の表示処理の一例（リスト表示時における情報帯）を示す図である。表示制御手段１１０は、リスト表示７００に図１２に対応する撮影部位情報１４００を含めて表示させる。また、表示制御手段１１０は、カラーバー１２０４、医療画像１２０２、撮影画像の撮影日時、若しくは検査日時１４０１、医療画像の種別１４０２、読影レポートの有無を示す表示１００３、検査施設名１４０４、該患者で特記すべき情報１４０５を並べて表示する。なお、情報の並び順は図１３に示す例に限定されるものではなく、他の並び順であってもよい。
【００８１】
撮影部位情報１４００として「胸部」などの文字だけではなく、図１２に示した撮影部位を示す模式図を付加することで医師等による誤認を防ぐことが可能となる。更に言えば、図１２に示した撮影部位を示す模式図を「胸部」などの文字の真横に並べて表示することで医師等は部位を把握しようとする際には必ず撮影部位を示す模式図を見ることとなるため、医師等による誤認を防ぐことが可能となる。なお、撮影部位を示す模式図は「胸部」などの文字の真上または真下に表示することとしてもよい。
【００８２】
＜実施例３＞
図１４は、第３実施形態における情報処理装置の処理の流れの一例を示すフローチャートである。
【００８３】
ステップＳ３０３が実行された後、ステップＳ１５０１で画像取り込み装置の起動指示が行われたか否かを取得手段１０９が判断する。図１５のマトリクス表示、若しくはリスト表示上の外部起動ボタン１６０１が操作者により押下られると、ステップＳ１５０２へ進む。ステップＳ１５０２では、取得手段１０９が画像取り込み装置を起動する。ここで、画像取り込み装置とは例えば、情報機器１１３により得られた画像情報や動画情報等を情報処理装置１０５へ取り込むためのアプリケーションである。アプリケーションは情報処理装置１０５外の情報処理装置で起動されることとしてもよいし、情報処理装置１０５内で起動されることとしてもよい。
【００８４】
画像取り込み装置を起動した後、ステップＳ１５０３では、取得手段１０９が画像取り込み装置から情報を取得する。例えば、画像取り込み装置に情報が既に取り込まれている場合には、取得手段１０９は情報を取得することができる。画像取り込み装置を用いた情報の取り込みは操作者等により行われる。
【００８５】
取得手段１０９が情報を取得できた場合ステップＳ１５０４へ進む。ステップＳ１５０４では、表示制御手段１１０がステップＳ１５０４で取得した情報を表示部１０８に表示させる。例えば、表示制御手段１１０は、ステップＳ１５０４で取得した情報をマトリクス表示６００、若しくはリスト表示７００に即座に追加する。
【００８６】
ステップＳ１５０３で取得手段１０９が画像取り込み装置から情報を取得できない場合は、ステップＳ１５０５へ進む。ステップＳ１５０５では、取得手段１０９が画像取り込み装置を閉じ、Ｓ３０３実行後画面へ戻る。
【００８７】
また、ステップＳ１５０１で画像取り込み装置を起動しなかった場合、ステップＳ１５０６により画像取り込み装置を起動せず、ステップＳ３０３の実行後の画面へ戻る。
【００８８】
以上ステップＳ１５０１〜Ｓ１５０６により、画像取り込み装置からの情報を素早く閲覧することができる。
【００８９】
なお、取得手段１０９はポーリング等により自動的に画像取り込み装置を起動し、画像取り込み装置に取り込まれている情報を自動的にマトリクス表示６００、若しくはリスト表示７００に追加できるようにしてもよい。
【００９０】
また、情報機器１１３により画像が撮影された場合、情報機器１１３はネットワーク１００を介して画像を情報処理装置１０５へ送信してもよい。この場合、取得手段１０９は情報機器１１３によって送信された画像を取得して、表示制御手段１１０は取得手段１０９が取得した画像をマトリクス表示６００、若しくはリスト表示７００に追加する。
【００９１】
すなわち、情報機器１１３により撮影された画像が即座にマトリクス表示６００、若しくはリスト表示７００に追加される。
【００９２】
また、情報機器１１３により撮影された画像は所定の記憶部に記憶されることとしてもよい。この場合、情報処理装置は定期的に所定の記憶部を参照し、新たな画像がある場合には取得手段１０９により画像を取得して、表示制御手段１１０は取得手段１０９が取得した画像をマトリクス表示６００、若しくはリスト表示７００に追加することとしてもよい。
【００９３】
本実施形態によれば、新たな医療情報が得られた場合においても適切なタイミングで表示部１０８に追加することができるため、医師は患者の医療情報を漏れなく把握することが可能となる。
【００９４】
＜その他の実施形態＞
以上、実施形態例を詳述したが、開示の技術は例えば、システム、装置、方法、プログラム若しくは記録媒体（記憶媒体）等としての実施態様をとることが可能である。具体的には、複数の機器（例えば、ホストコンピュータ、インタフェース機器、撮像装置、ｗｅｂアプリケーション等）から構成されるシステムに適用しても良いし、また、一つの機器からなる装置に適用しても良い。
【００９５】
また、本発明の目的は、以下のようにすることによって達成されることはいうまでもない。即ち、前述した実施形態の機能を実現するソフトウェアのプログラムコード（コンピュータプログラム）を記録した記録媒体（または記憶媒体）を、システムあるいは装置に供給する。係る記憶媒体は言うまでもなく、コンピュータ読み取り可能な記憶媒体である。そして、そのシステムあるいは装置のコンピュータ（またはＣＰＵやＭＰＵ）が記録媒体に格納されたプログラムコードを読み出し実行する。この場合、記録媒体から読み出されたプログラムコード自体が前述した実施形態の機能を実現することになり、そのプログラムコードを記録した記録媒体は本発明を構成することになる。
【符号の説明】
【００９６】
１０５  情報処理装置
１０６  ＣＰＵ
１０７  記憶部
１０８  表示部
１０９  取得手段
１１０  表示制御手段
１１１  選択手段
【図１】
0006498018.tif 000002
【図２】
0006498018.tif 000003
【図３】
0006498018.tif 000004
【図４】
0006498018.tif 000005
【図５】
0006498018.tif 000006
【図６】
0006498018.tif 000007
【図７】
0006498018.tif 000008
【図８】
0006498018.tif 000009
【図９】
0006498018.tif 000010
【図１０】
0006498018.tif 000011
【図１１】
0006498018.tif 000012
【図１２】
0006498018.tif 000013
【図１３】
0006498018.tif 000014
【図１４】
0006498018.tif 000015
【図１５】
0006498018.tif 000016
【図１６】
0006498018.tif 000017